(57)【特許請求の範囲】
【請求項１】
切り花を使用して茎をねじり合わせた丸い花束を成形するための成形ステーション（１）において、使用中の構成では、各花軸（２０）がその花の頂部のところで支承接触するのに適したスクリーン（２）と、前記スクリーン（２）に対向して配置された、前記茎（２０）をその自由端（２２）のところで支持するのに適した茎支持体（３）と、前記スクリーン（２）と前記支持体（３）の間に配置された、花を配置するための配置テンプレート（４）とを備える、ステーション（１）であって、
前記配置テンプレート（４）が複数のスロット（５）で形成され、このスロット（５）は、スロットそれぞれの開放端を前記支持体（３）の方に向けるように、その支持体の周りに、放射状の配列に並べて配置され、前記スクリーン（２）が、前記支持体の方を向いた凹状の全般に湾曲した輪郭を呈することを特徴とする、ステーション（１）。
【請求項２】
前記並べて配置されたスロット（５）が、共通の平面内にあることを特徴とする、請求項１に記載のステーション（１）。
【請求項３】
前記並べて配置されたスロット（５）が、異なる高さに配置されることを特徴とする、請求項１に記載のステーション（１）。
【請求項４】
前記配置テンプレート（４）が、収束ゾーン（７）に向かって下向きに傾斜する２つの傾斜部（６）で形成され、各スロット（５）が１つの傾斜セグメントで形成されることを特徴とする、請求項３に記載のステーション（１）。
【請求項５】
各傾斜部（６）が一続きの階段を形成し、前記収束ゾーン（７）の外側では、各スロット（５）が、前記一続きの階段の少なくとも１つの段（８）および蹴込み板（９）と、前記段（８）上の、その下の蹴込み板のほぼ真上に位置する、少なくとも１つの当接部（１０）とによって画成され、前記収束ゾーン（７）では、前記スロットが、段（８）と２つの対向する蹴込み板（９）とによって画成されることを特徴とする、請求項４に記載のステーション（１）。
【請求項６】
各当接部（１０）は、前記段（８）の段板から延びるピンの形状をしていることを特徴とする、請求項５に記載のステーション（１）。
【請求項７】
前記スクリーン（２）が、前記スロット（５）の、前記支持体（３）に向かって開口している端とは反対側の端を閉じる、湾曲した円弧状の表面で形成されることを特徴とする、請求項１〜６のいずれか一項に記載のステーション（１）。
【請求項８】
前記スクリーン（２）の少なくとも一部分が、球体の一部分であることを特徴とする、請求項１〜７のいずれか一項に記載のステーション（１）。
【請求項９】
前記支持体（３）が、円弧状の湾曲した底部を有する受け台の形状をしており、前記支持体の円弧状部分の中心と、前記スクリーン（２）の球形部分の中心（ｏ）とが、一致することを特徴とする、請求項１〜８のいずれか一項に記載のステーション（１）。
【請求項１０】
少なくとも部分的に球体の一部分で形成される仕切りスクリーン（１２）を含み、前記仕切りスクリーン（１２）は、前記支持体（３）と、前記支持体（３）の方を向いた凹状の全般に湾曲した輪郭を呈する前記「メイン」スクリーン（２）との間に、配置可能であることを特徴とする、請求項１〜９のいずれか一項に記載のステーション（１）。
【請求項１１】
前記配置テンプレート（４）が、対向する切り欠きまたは溝（１３）を備え、前記切り欠きまたは溝（１３）は、前記仕切りスクリーン（１２）を受けるのに適した案内路を形成し、これは、前記仕切りスクリーン（１２）を前記案内路の内部で摺動するように取り付けて、前記スロット（５）を互いに寄せたり広げたりするためであることを特徴とする、請求項１〜１０のいずれか一項に記載のステーション（１）。
【請求項１２】
前記仕切りスクリーン（１２）の球形部分の中心と、前記「メイン」スクリーン（２）の球形部分の中心とが、一致することを特徴とする、請求項８と組み合わせた請求項１０または請求項１１に記載のステーション（１）。
【請求項１３】
前記スロット（５）が、前記スクリーン（２）の曲率中心と同一またはその近傍の曲率中心で湾曲した輪郭に沿って、配置されることを特徴とする、請求項１〜１２のいずれか一項に記載のステーション（１）。
【請求項１４】
前記スクリーン（２）および前記配置テンプレート（４）が、好ましくは熱成形によって単一部品として製造されることを特徴とする、請求項１〜１３のいずれか一項に記載のステーション（１）。
【請求項１５】
エンドレスコンベヤベルトやエンドレスチェーンなどのエンドレス可動部を移送するための移送部材（１１）と、エンドレス可動部を移送するための前記部材に結合された複数の成形ステーション（１）とを備える、花束成形設備であって、エンドレス可動部を移送するための前記部材（１１）が、垂直軸の周りにループになった経路に沿って進み、前記花束成形ステーション（１）の少なくとも１つが、請求項１〜１４のいずれか一項に記載のものであることを特徴とする、花束成形設備。
【発明の詳細な説明】
【技術分野】
【０００１】
本発明は、切り花を使用して製造される、茎をねじり合わせた（スパイラルの）丸い花束を成形するためのステーションと、かかるステーションを複数備える花束成形設備に関する。
【０００２】
本発明は、より詳細には、切り花を使用して茎をねじり合わせた丸い花束を成形するための成形ステーションにおいて、使用中の構成では、各花軸がその花の頂部のところで支承接触するのに適したスクリーンと、上記スクリーンに対向して配置された、上記茎をその自由端のところで支持するのに適した茎支持体と、上記スクリーンと上記支持体の間に配置された、花を配置するための配置テンプレートとを備える、ステーションに関する。
【背景技術】
【０００３】
花束、詳細には丸い花束を成形することは、ある程度の器用さを必要とする技能である。上述のタイプの成形ステーションはすでに開発されている。しかしながら、それらのステーションは、完全に満足のいくものではない。
【発明の概要】
【発明が解決しようとする課題】
【０００４】
本発明の目的は、上述のタイプの花束を成形するためのステーションにおいて、作業者が特定の専門技術を有していなくても、茎をねじり合わせた丸い花束を容易かつ迅速に製造することを可能にする設計のステーションを提供することである。
【課題を解決するための手段】
【０００５】
この目的のために、本発明は、切り花を使用して茎をねじり合わせた丸い花束を成形するための成形ステーションにおいて、使用中の構成では、各花軸がその花の頂部のところで支承接触するのに適したスクリーンと、上記スクリーンに対向して配置された、上記茎をその自由端のところで支持するのに適した茎支持体と、上記スクリーンと上記支持体の間に配置された、花を配置するための配置テンプレートとを備える、ステーションであって、
上記配置テンプレートが複数のスロットで形成され、このスロットは、スロットそれぞれの開放端を上記支持体の方に向けるように、その支持体の周りに、放射状の配列に並べて配置され、上記スクリーンが、上記支持体の方を向いた凹状の全般に湾曲した輪郭を呈することを特徴とする、ステーションを提供する。
【０００６】
上記配置テンプレートの設計と、その配置テンプレートがスクリーンおよび支持体と協働する方法とにより、作業者が花束製造の分野における特定の専門技術を有する必要なく、切り花を迅速かつ確実に配置することが可能になる。
【０００７】
本発明の一実施形態では、上記並べて配置されたスロットが、共通の平面内にある。
【０００８】
本発明の他の実施形態では、上記並べて配置されたスロットが、異なる高さに配置される。
【０００９】
この実施形態では、好ましくは、上記配置テンプレートが、収束ゾーンに向かって下向きに傾斜する２つの傾斜部で形成され、各スロットが１つの傾斜セグメントで形成される。
【００１０】
各傾斜部は直線状の傾斜部でありうる。しかしながら、好ましくは、各傾斜部が一続きの階段を形成し、上記収束ゾーンの外側では、各スロットが、上記一続きの階段の少なくとも１つの段および蹴込み板と、上記段上の、その下の蹴込み板のほぼ真上に位置する、少なくとも１つの当接部とによって画成され、上記収束ゾーンでは、上記スロットが、１つの段と２つの対向する蹴込み板とによって画成される。
【００１１】
好ましくは、各当接部は、上記段の段板から延びるピンの形状をしている。
【００１２】
好ましくは、上記スクリーン２が、上記スロット５の、上記支持体３に向かって開口している端とは反対側の端を閉じる、湾曲した円弧状の表面で形成される。
【００１３】
好ましくは、上記スクリーンの少なくとも一部分が、球体の一部分である。
【００１４】
好ましくは、上記支持体が、円弧状の湾曲した底部を有する受け台の形状をしており、上記支持体の円弧状部分の中心と、上記スクリーンの球形部分の中心とが、一致する。
【００１５】
好ましくは、上記ステーションは、少なくとも部分的に球体の一部分で形成される仕切りスクリーンを含み、上記仕切りスクリーンは、上記支持体と、上記支持体の方を向いた凹状の全般に湾曲した輪郭を呈する上記「メイン」スクリーンとの間に、配置可能である。
【００１６】
好ましくは、上記配置テンプレートが、対向する切り欠きまたは溝を備え、上記切り欠きまたは溝は、上記仕切りスクリーンを受けるのに適した案内路を形成し、これは、上記仕切りスクリーンを上記案内路の内部で摺動するように取り付けて、上記スロットを互いに寄せたり広げたりするためである。
【００１７】
好ましくは、上記仕切りスクリーンの球形部分の中心と、上記「メイン」スクリーンの球形部分の中心とが、一致する。
【００１８】
好ましくは、上記スロットが、上記スクリーンの曲率中心と同一またはその近傍の曲率中心で湾曲した輪郭に沿って、配置される。
【００１９】
好ましくは、上記スクリーンおよび上記配置テンプレートが、好ましくは熱成形によって単一部品として製造される。
【００２０】
この結果、上記ステーションの製造が容易になる。
【００２１】
本発明はまた、エンドレスコンベヤベルトやエンドレスチェーンなどのエンドレス可動部を移送するための移送部材と、上記移送部材に結合された複数の成形ステーションとを備える、花束成形設備であって、エンドレス可動部を移送するための上記部材が、垂直軸の周りにループになった経路に沿って進み、上記花束成形ステーションの少なくとも１つが、上記に記載のものであることを特徴とする、花束成形設備を提供する。
【００２２】
本発明については、添付の図面を参照して、示された実施形態の以下の説明を読むことで、十分に理解できよう。
【図面の簡単な説明】
【００２３】
【図１】本発明の成形設備の斜視図である。
【図２】切り花が無い状態の、本発明の成形ステーションの斜視図である。
【図３】切り花が入った状態の、本発明の成形ステーションの斜視図である。
【図４】本発明の成形設備の他の実施形態の斜視図である。
【図５】本発明の成形ステーションの正面図である。
【図６】仕切りスクリーン取り付け時の、図５の成形ステーションの斜視図である。
【図７】仕切りスクリーン取り付け時の、図５の成形ステーションの斜視図である。
【図８】仕切りスクリーン取り付け時の、図５の成形ステーションの斜視図である。
【図９】仕切りスクリーン取り付け時の、成形ステーションの上方からの斜視図である。
【発明を実施するための形態】
【００２４】
上述のように、本発明は、花束を成形するための、詳細には切り花を使用して茎をねじり合わせた（スパイラルの）丸い花束を成形するための成形ステーション１と、少なくとも１つのかかるステーションを備える成形設備を提供する。
【００２５】
各切り花は茎２０を呈し、茎２０の一方の端２１は花を有し、もう一方の端２２は自由端である。
【００２６】
花束成形ステーション１は、花を有する花軸端２１が寄りかかるのに適した「メイン」スクリーン２と、スクリーン２に対向して配置された、茎２０をその自由端２２のところで支持するのに適した支持体３と、スクリーン２と支持体３の間に位置する配置テンプレート４とを含む。
【００２７】
本発明の特徴をなす形では、配置テンプレート４が複数のスロット５で形成され、このスロット５は、スロットそれぞれの開放端を支持体３の方に向けるように、その支持体３の周りに、放射状の配列に並べて配置される。
【００２８】
したがって、各スロット５は、一方の端がスクリーン２によって閉じられ、その反対側の端が支持体３の方を向いている。
【００２９】
図１〜３に示されている実施例では、支持体３は、金属または合成材料でできたパネルの形状をしており、使用中の構成時はそれが縁に配置される。このパネルはその上端部分に切り欠きを備える。切り欠きの縁部の一方は、その切り欠きによって形成された開口を狭めるように、その開口の内部に向かって延びる。
【００３０】
図４〜９に示されている実施例では、支持体３は、円弧状に湾曲した底部を有する受け台（ｃｒａｄｌｅ）の形状をしている。
【００３１】
したがって、この支持体の切り欠きに形成された開口または受け台形状に、各茎の自由端２２が挿入され、茎の残りはそれぞれスロット５内に延びる。
【００３２】
スロット５は、共通の平面内に並べて配置されうる。
【００３３】
示されている実施例では、スロット５は並べて配置されるが、異なる高さに配置される。詳細には、示されている実施例では、配置テンプレート４は、収束ゾーン７に向かって下向きに傾斜する２つの傾斜部で形成される。各スロット５は１つの傾斜セグメントで形成される。
【００３４】
各傾斜部６は一続きの階段を形成する。したがって、収束ゾーン７の外側では、各スロット５は、段８と、その段の段鼻から離れたその段に隣接する蹴込み板９と、段８上の、その下の蹴込み板９のほぼ真上、すなわち下にあるその蹴込み板の垂直面から約１センチメートル（ｃｍ）内に位置する、少なくとも１つの当接部１０とによって画成される。
【００３５】
この当接部１０は、段の段板から延びるピンの形状をした細長体の形をしており、この細長体は、傾斜部の傾きと協働して、使用中の構成においてそのピンがほぼ垂直方向に延びることを可能にするように選択された角度を形成する。
【００３６】
スクリーン２は、全般に湾曲した輪郭を有するスクリーンであり、すなわちこのスクリーンは、曲線に沿って広がる。
【００３７】
示されている実施例では、このスクリーン２は、スロット５の、支持体３に向かって開口している端とは反対側の端を閉じる、湾曲した円弧状の表面で形成される。この円弧の内側は、支持体３の方を向いている。
【００３８】
図４〜９に示されている実施例では、スクリーン２の一部分は球体の一部分になっている。スロット５の、支持体３に向かって開口している端とは反対側の端を閉じる、球体のこの部分は、支持体３の方を向いた凹面を呈する。この実施形態では、上記支持体の円弧状部分の中心と、スクリーン２の球形部分の中心ｏとが、一致する。
【００３９】
図５〜９に示されている実施例では、上記ステーションはさらに、少なくとも部分的に球体の一部分で形成される仕切りスクリーン１２を含み、この仕切りスクリーン１２は、支持体３と、上記支持体３の方を向いた凹状の全般に湾曲した輪郭を呈する「メイン」スクリーン２との間に、配置可能である。したがって、この仕切りスクリーン１２は、取り外し可能な形で配置テンプレート４上に取り付けられる。
【００４０】
この仕切りスクリーン１２の取り付けを容易にするために、配置テンプレート４は、対向する切り欠きまたは溝１３を備える。上記切り欠きまたは溝１３は、仕切りスクリーン１２を受けるのに適した案内路を形成する。これは、上記仕切りスクリーン１２を上記案内路の内部で摺動するように取り付けて、スロット５を互いに寄せたり広げたりするためである。この実施例では、これらの切り欠きまたは溝１３は、配置テンプレート４に面した、各一続きの階段のそれぞれの端壁を形成する垂直表面に、形成される。
【００４１】
この実施形態では、仕切りスクリーン１２の球形部分の中心と、「メイン」スクリーン２の球形部分の中心とが、一致する。
【００４２】
仕切りスクリーン１２が存在することで、メインスクリーン２を使用して花束を製造するときよりも、場合により短い茎を有する花を用いて、丸い花束を製造することが可能になる。仕切りスクリーン１２の目的と使用方法は、メインスクリーン２の目的および使用方法と同じである。
【００４３】
スクリーンの実施形態に関係なく、そして仕切りスクリーン１２の有無に関わらず、この実施形態におけるスクリーン２および配置テンプレート４は、熱成形によって単一部品として製造される。さらに、示されている実施形態では、スロット５は、スクリーン２の曲率中心と同一またはその近傍の曲率中心で湾曲した輪郭に沿って、並べて配置される。
【００４４】
マルチステーション成形設備では、上述の成形ステーション１がそれぞれ、垂直軸の周りにループになった経路に沿って進む共通のコンベヤベルト１１またはチェーンに結合されうる。コンベヤベルトまたはチェーンがたどるこのループ状の経路の周りに、作業者が配置される。
【００４５】
上記設備はさらに、成形ステーションがたどるループ状の経路の上方、詳細にはループ状の経路の内部によって形成される空間の上方に配設された領域内に設置された、ディスプレイ装置を含みうる。したがって、作業者は、花束を作り上げるために、ディスプレイ画面などのディスプレイ装置を参考にできる。スロットに番号が付けられていることから、情報を、詳細には各スロットに挿入される花の種類に関する情報を画面表示することが可能である。
【００４６】
一般に、各ステーションに向かって作業者が配置される。成形ステーションのスロット１つごとに、作業者は１本の花軸を平らに配置する。この配置は、必要に応じてスクリーン２、または存在する場合は仕切りスクリーン１２を、茎の花の端の頂部２１のための支承表面として使用し、その反対側の茎の端２２を支持体３に挿入することによって行う。
【００４７】
スクリーンおよびスロットの球の形状と、支持体に対するそのスクリーンとスロットの位置とから、花軸は、円弧状の湾曲した底部を有する受け台によって形成された支持体の円弧の中心、あるいは、スクリーンまたは仕切りスクリーンを少なくとも部分的に構成する球形部分の球の中心を通る線に沿って、ほぼ支持体３の概ね位置する場所で、互いに重なり合って交差する。
【００４８】
同じ作業者、あるいは、ステーションがコンベヤベルトまたはチェーンによって移動した後手前に配置された別の作業者が、次に、花軸をまとめて束ね、場合により茎を同じ長さにするためにその茎の自由端を切り落とす。こうして花束は完成する。
【００４９】
尚、この成形ステーションの設計により、作業者は、かかる結果を得るために特定の専門技術を有する必要はなくなる。
【図１】
0006731476.tif 000002
【図２】
0006731476.tif 000003
【図３】
0006731476.tif 000004
【図４】
0006731476.tif 000005
【図５】
0006731476.tif 000006
【図６】
0006731476.tif 000007
【図７】
0006731476.tif 000008
【図８】
0006731476.tif 000009
【図９】
0006731476.tif 000010